(57)【特許請求の範囲】
【請求項１】
灯具本体と、前記灯具本体に連結され、当該灯具本体を取り付け位置に固定する固定具と、を備え、
前記固定具は、前記灯具本体を、被照射面に対する照射角度を可変にすべく回転可能に支持する回転支持部を有し、
前記回転支持部は、前記灯具本体の回転軸上に設けられた軸孔を備えた一対の側板を備え、
一方の前記側板には、照射角度を連続的に可変に前記灯具本体を支持しボルト固定するアナログ支持部が設けられ、
他方の前記側板には、照射角度を段階的に可変に前記灯具本体を支持しボルト固定するデジタル支持部が設けられた
ことを特徴とする照明器具。
【請求項２】
前記一対の側板において、前記軸孔と前記灯具本体との間にガイド孔または角度固定孔が設けられている
ことを特徴とする請求項１に記載された照明器具。
【請求項３】
前記デジタル支持部には、前記灯具本体を、予め設定された所定の照射角度で固定する複数の角度固定孔が設けられていることを特徴とする請求項１または２に記載の照明器具。
【請求項４】
前記複数の角度固定孔は、互いに重なることがないように、前記軸孔から異なる距離に設けられていることを特徴とする請求項３に記載の照明器具。
【請求項５】
前記アナログ支持部には、前記灯具本体の回転範囲に亘る長さのガイド孔が設けられていることを特徴とする請求項１乃至４の何れかに記載の照明器具。
【発明の詳細な説明】
【技術分野】
【０００１】
本発明は、照明器具に関する。
【背景技術】
【０００２】
従来、アームの先端に、灯具を取りつけた照明器具が知られている（例えば、特許文献１、及び、特許文献２参照）。これらの照明器具では、灯具がアームに対して回転可能に連結されており、照射角度を変えることができるように構成されている。
【先行技術文献】
【特許文献】
【０００３】
【特許文献１】特開２０１４−１７９３０３号公報
【特許文献２】特開２００２−３１３１０５号公報
【発明の概要】
【発明が解決しようとする課題】
【０００４】
ところで、比較的重量がある灯具をアームの先端に取りつけた照明器具においても、照射角度を可変にしたいという要求があった。
本発明は、上述した事情に鑑みてなされたものであり、灯具の固定角度を変えることができ、灯具固定後は安定して支持することができる照明器具を提供することを目的とする。
【課題を解決するための手段】
【０００５】
上述した目的を達成するために、本発明は、灯具本体と、前記灯具本体に連結され、当該灯具本体を取り付け位置に固定する固定具と、を備え、前記固定具は、前記灯具本体を、被照射面に対する照射角度を可変にすべく回転可能に支持する回転支持部を有し、前記回転支持部は、前記灯具本体の回転軸上に設けられた軸孔を備えた一対の側板を備え、一方の前記側板には、照射角度を連続的に可変に前記灯具本体を支持しボルト固定するアナログ支持部が設けられ、他方の前記側板には、照射角度を段階的に可変に前記灯具本体を支持しボルト固定するデジタル支持部が設けられたことを特徴とする。
【０００６】
また、本発明は、上記照明器具において、前記一対の側板において、前記軸孔と前記灯具本体との間にガイド孔または角度固定孔が設けられていることを特徴とする。
【０００７】
また、本発明は、上記照明器具において、前記デジタル支持部には、前記灯具本体を、予め設定された所定の照射角度で固定する複数の角度固定孔が設けられていることを特徴とする。
【０００８】
また、本発明は、上記照明器具において、前記複数の角度固定孔は、互いに重なることがないように、前記軸孔から異なる距離に設けられていることを特徴とする
【０００９】
また、本発明は、上記照明器具において、前記アナログ支持部には、前記灯具本体の回転範囲に亘る長さのガイド孔が設けられていることを特徴とする。
【発明の効果】
【００１０】
本発明によれば、灯具本体を、被照射面に対する照射角度を可変にすべく回転可能に支持する回転支持部を有し、前記回転支持部は、前記照射角度を連続的に可変に前記灯具本体を支持するアナログ支持部と、前記照射角度を段階的に可変に前記灯具本体を支持するデジタル支持部と、を備えたため、アナログ支持部によって灯具本体の固定角度を連続的に変えることができ、デジタル支持部によって固定後は安定して灯具本体を支持することができる。
【図面の簡単な説明】
【００１１】
【図１】本発明の実施形態の照明器具を示す側面図である。
【図２】灯具本体と固定具との構成を示す分解斜視図である。
【図３】照射ユニットの構成を示す図２のＡ−Ａ断面図である。
【図４】固定具の構成を示す分解斜視図である。
【図５】灯具本体の固定角度を変えた照明器具を示す側面図である。
【発明を実施するための形態】
【００１２】
以下、図面を参照して本発明の実施形態について説明する。
図１は本実施形態に係る照明器具１の側面図である。照明器具１は、例えば、テニスコートなどの、屋内や屋外のスポーツ施設で競技面を照明するために用いることができる照明器具である。図１に示すように、照明器具１は、設置面に立設されるポール５と、ポール５から延びるアーム６と、アーム６の先端部６Ｂに取り付けられる灯具本体１０と、を備えている。アーム６は、ポール５に対して所定の角度で（例えば略直角）設けられる。また、アーム６は、設置面に立設されたポール５から延びる構成の他に、例えば、壁面から延びる構成であっても良い。
【００１３】
灯具本体１０は、アーム６の先端部６Ｂに連結された固定具４０により、アーム６に対して固定角度可変に取り付けられる。灯具本体１０は、長手方向が、アーム６がポール５から延びる方向に沿った方向に延びる略矩形形状に構成されている。
図２は、灯具本体１０と固定具４０との構成を示す分解斜視図である。
図２に示すように、灯具本体１０は、矩形枠型に形成されたケース体１１内に、複数の照射ユニット２０を収めて構成されている。本実施形態では、ケース体１１の長手方向に沿って、照射ユニット２０を二つ並べて、灯具本体１０が構成されている。
【００１４】
ケース体１１の長手方向の一端の側面には、灯具本体１０をアーム６に固定するための固定具４０が連結される。また、固定具４０の内部空間を利用して、ケース体１１の長手方向の一端側には、結線ボックス８が設けられる構成であっても良い。この結線ボックス８には、後述する光源モジュール２１に点灯電力を供給する電力供給線（図示せず）が接続され、この結線ボックス８を介して各光源モジュール２１に点灯電力が供給される。
【００１５】
図３は、照射ユニット２０の構成を示す断面図である。
図３に示すように、照射ユニット２０は、一方の面が開口する有底の矩形箱状の筐体２２と、この筐体２２の底面に設けられる光源モジュール２１と、を備えている。光源モジュール２１は、発光素子の一例たるＬＥＤ２１Ａを光源に備え、ＬＥＤ２１ＡがＬＥＤ基板２１Ｂに実装されて構成されている。なお、光源モジュール２１の光源として、ＬＥＤをＬＥＤ基板の上に密集配置して面状の発光部を形成したチップオンボード（ＣＯＢ）型の高出力ＬＥＤを用いてもよい。
【００１６】
また、筐体２２には、光源モジュール２１の配光を制御する反射鏡２４が設けられる。筐体２２には、遮蔽板２５が設けられる。遮蔽板２５は、筐体２２の底面２３と出射開口２６との間に設けられる。遮蔽板２５には、反射鏡２４が挿入される適宜の大きさの孔が形成される。遮蔽板２５は、筐体２２内部の構造が後述する透過性のカバーユニット２７を介して外部から見えないように設けられる。
【００１７】
筐体２２の底面２３の背面２３Ｂ側には、光源モジュール２１の発熱を放熱する複数の放熱フィン１９が設けられる。また、筐体２２には、放熱フィン１９の周囲を囲み、放熱フィン１９を保護するとともに、放熱フィン１９や筐体２２の充電部への手指の接触を防ぐ背面ガード５０が取り付けられる。また、背面ガード５０には、複数のスリット５１（図２参照）が設けられ、このスリット５１を介して放熱フィン１９から熱が背面ガード５０の外部に放熱されるように構成されている。なお、図１に示すように、照射ユニット２０は、放熱フィン１９が背面ガード５０に囲まれた状態で外気に露出するように構成される。
【００１８】
筐体２２は、図３に示すように、光源モジュール２１の正面の開口が出射開口２６として構成される。出射開口２６には、出射開口２６を覆うカバーユニット２７が設けられる。カバーユニット２７は、透光性部材であるカバー２８と、カバー２８に枠状に設けられるカバー押さえ２９と、を備える。カバー２８は、少なくとも、光源モジュール２１からの光、及び、反射鏡２４により配光制御された光源モジュール２１からの光が透過する範囲を覆うように構成される。灯具本体１０は、出射開口２６にカバーユニット２７を取り付けた際に、筐体２２内部の防水が図られるように構成されている。
【００１９】
筐体２２の底面２３には、背面２３Ｂ側からヒートパイプ３１が嵌め込まれる溝３２が設けられる。溝３２は、底面２３の長手方向に沿って延在し、底面２３の短手方向に複数並べて設けられている。本実施形態では、底面２３の背面２３Ｂ側に、３本の溝３２が設けられている。溝３２には、ヒートパイプ３１が嵌め込まれている。このように、複数のヒートパイプ３１が底面２３の長手方向に沿って嵌め込まれているため、光源モジュール２１の発熱は、ヒートパイプ３１により、底面２３の長手方向まで全体に満遍なく伝熱される。
【００２０】
放熱フィン１９は、底面２３に略垂直に立設される板状のフィンであり、底面２３の背面２３Ｂに複数並べて固定される。放熱フィン１９は、少なくともヒートパイプ３１が延在する範囲に、ヒートパイプ３１と略直交する向きに並べて設けられる。放熱フィン１９の幅は、できる限り筐体２２の短手方向の寸法に近づけられ、効率よく光源モジュール２１の発熱を放熱させることができるように構成されている。
【００２１】
次に、固定具４０の構成について説明する。
ところで近年、ＬＥＤ等の発光素子の高出力化に伴って、屋内・屋外のテニスコート等のスポーツ施設で用いられる照明器具においても、ＬＥＤ照明器具への置換が進んでいる。スポーツ施設で用いられるＬＥＤ照明器具は、均斉度の高い配光で競技面全体を明るく照らす必要があり、放熱フィンなどを備えているため灯具も比較的重い構成である。また、スポーツ施設で用いられる照明器具をＬＥＤ照明器具へ置換する場合、設置高さ、設置位置、照射範囲等の条件に基づいて照射角度を調整する必要がある。固定具４０は、図１に示したように、設置面に立設したポール５から延びるアーム６の先端部６Ｂに灯具本体１０を取りつけて用いた際に、比較的重量の有る灯具本体１０を作業性良く所定の照射角度で固定することができるように構成されている。
【００２２】
図４は、固定具４０の構成を示す分解斜視図である。
図４に示すように、固定具４０は、回転支持部４１と、固定脚部５２と、を備えている。回転支持部４１は、ベース部４１Ａが、干渉部材５３を介してアーム６の先端部６Ｂに一体に形成されたフランジ部７にナットとボルトで不動に固定される。干渉部材５３は、例えばゴム材等の弾性材料から形成された部材である。このように、ベース部４１Ａと、フランジ部７との間に干渉部材５３を挟み込むことで、ポール５やアーム６からの振動が回転支持部４１に伝達されるのを軽減し、回転支持部４１と、アーム６との締結が振動により緩むのを防ぐことができる。
【００２３】
回転支持部４１は、灯具本体１０を回転軸Ｏで回転可能に支持する部材であり、ベース部４１Ａの回転軸Ｏ方向の両端に設けた一対の側板４２，４３を備えている。側板４２，４３には、回転軸Ｏ上に設けられた軸孔４２Ａ，４３Ａが設けられる。回転支持部４１には、軸孔４２Ａ，４３Ａのそれぞれに挿通させたボルト４２Ｂ，４３Ｂで、灯具本体１０が回転可能に軸支される。
【００２４】
回転支持部４１の一方の側板４２には、灯具本体１０を回転軸Ｏで回転させた際の回転軌道に沿った略Ｃ字状長孔形状のガイド孔４４が設けられている。ガイド孔４４は、灯具本体１０の回転範囲を規定する機能を有し、ガイド孔４４の一端４４Ａと、他端４４Ｂとが、それぞれ、回転範囲の限度位置となるように構成されている。ガイド孔４４に挿通され、灯具本体１０に固定されたボルト４８Ａを、ガイド孔４４に沿って移動させることで、灯具本体１０は、固定角度を、連続的に変えることができるように構成される。
【００２５】
このように、回転支持部４１には、一方の側板４２と、当該側板４２に設けられた一方の軸孔４２Ａ、ボルト４２Ｂ、ガイド孔４４、ボルト４８Ａと、によって、灯具本体１０を、照射角度を連続的に可変に支持するアナログ支持部５５が構成される。灯具本体１０は、回転範囲に亘る長さに形成されたガイド孔４４に挿通されるボルト４８Ａを後述のナット４８Ｂから緩めることで、ガイド孔４４の一端４４Ａから他端４４Ｂの範囲で任意の位置に灯具本体１０を固定することができるように構成される。また、ガイド孔４４に挿通させたボルト４８Ａのガイド孔４４内での移動は、一端４４Ａ、及び、他端４４Ｂで止められるため、灯具本体１０の回転可動範囲をガイド孔４４によって規制することができる。
【００２６】
回転支持部４１の他方の側板４３には、複数の角度固定孔４５Ａ，４５Ｂ，４５Ｃが設けられている。灯具本体１０は、例えば所定の角度毎に、段階的に照射角度を変えて固定することができるように構成され、各角度固定孔４５Ａ，４５Ｂ，４５Ｃは、予め設定された照射角度で灯具本体１０を固定するための適宜の位置に設けられている。各角度固定孔４５Ａ，４５Ｂ，４５Ｃの軸孔４３Ａからの距離は、異なる距離とすることができる。これにより、各角度固定孔４５Ａ，４５Ｂ，４５Ｃによって規定される、灯具本体１０の固定角度の差が小さくても、各角度固定孔４５Ａ，４５Ｂ，４５Ｃ同士を互いに重ねることなく配置することができる。
【００２７】
各角度固定孔４５Ａ，４５Ｂ，４５Ｃは、互いの距離が近いものに関しては、軸孔４３Ａからの距離が異なる位置（異なる回転半径上）に配置されても良い。そして、各角度固定孔４５Ａ，４５Ｂ，４５Ｃは、互いの距離が遠いものに関しては軸孔４３Ａからの距離が同じ位置（等しい回転半径上）に配置する構成であっても良い。この構成によれば、灯具本体１０の所望の照射角度に応じて、複数の角度固定孔４５Ａ，４５Ｂ，４５Ｃの何れか一つに挿通されるボルト４９Ａを受ける、後述のボルト孔４９Ｂ，４９Ｃの数を減らすことができる。
【００２８】
このように、回転支持部４１には、他方の側板４３と、側板４３に設けられた、他方の軸孔４３Ａ、ボルト４３Ｂ、複数の角度固定孔４５Ａ，４５Ｂ，４５Ｃと、によって、灯具本体１０を、照射角度を段階的に可変に支持するデジタル支持部５６が構成される。灯具本体１０は、角度固定孔４５Ａ，４５Ｂ，４５Ｃの何れか一つの孔に挿通されるボルト４９Ａを外して回転軸Ｏに沿って回転させ、他の一つの孔の位置で灯具本体１０を固定することができるように構成されている。
【００２９】
固定脚部５２は、ケース体１１に固定され、灯具本体１０を、回転支持部４１に連結する部材である。固定脚部５２は、ケース体１１の長手方向の端部の側面に取り付けられる取付板部５４と、取付板部５４の回転軸Ｏ方向の両端に設けられた一対の脚部側板４６，４７とを備えている。脚部側板４６，４７には、回転軸Ｏ上に設けられた軸孔４６Ａ，４７Ａが設けられる。また、軸孔４６Ａ，４７Ａに対応する位置には、脚部側板４６，４７の互いに対向する面に、回転支持部４１の軸孔４２Ａ，４３Ａに挿通させたボルト４２Ｂ，４３Ｂを受けるナット４６Ｂ，４７Ｂが取り付けられる。
灯具本体１０は、回転支持部４１の軸孔４２Ａ，４３Ａと、固定脚部５２の軸孔４６Ａ，４７Ａとに挿通させたボルト４２Ｂ，４３Ｂをナット４６Ｂ，４７Ｂに螺合させることで、回転軸Ｏで回転可能にアーム６に連結される。
【００３０】
また、固定脚部５２の一方の脚部側板４６には、軸孔４６Ａからの距離が、回転支持部４１の軸孔４２Ａからガイド孔４４の回転半径と同じ距離となる位置に設けられたボルト孔４８Ｃが設けられている。ボルト孔４８Ｃに対応する位置には、他方の脚部側板４７と対向する面に、ガイド孔４４及びボルト孔４８Ｃに挿通されるボルト４８Ａが螺合されるナット４８Ｂが取り付けられる。
また固定脚部５２の他方の脚部側板４７には、軸孔４７Ａからの距離が、回転支持部４１の軸孔４３Ａから各角度固定孔４５Ａ，４５Ｂ，４５Ｃまでの距離と同じになる位置に、角度固定孔４５Ａ，４５Ｂ，４５Ｃの何れか一つに挿通されるボルト４９Ａが挿通されるボルト孔４９Ｂ，４９Ｃが設けられている。ボルト孔４９Ｂ，４９Ｃに対応する位置には、一方の脚部側板４６と対向する面に、角度固定孔４５Ａ，４５Ｂ，４５Ｃ及びボルト孔４９Ｂ，４９Ｃに挿通されるボルト４９Ａが螺合されるナットが取り付けられる。
【００３１】
灯具本体１０を、任意の照射角度で固定する際には、デジタル支持部５６のボルト４９Ａを外し、且つ、アナログ支持部５５のボルト４８Ａをガイド孔４４に沿って移動可能な程度に緩める。そして、アナログ支持部５５のボルト４８Ａをガイド孔４４に沿って移動させることで、所望の照射角度となるように、灯具本体１０を回転軸Ｏで回転させる。そして、所望の照射角度となる位置に対応するデジタル支持部５６の角度固定孔４５Ａ，４５Ｂ，４５Ｃの何れか一つ、及び、対応するボルト孔４９Ｂ，４９Ｃにボルト４９Ａを挿通させて締めて固定する。そして、ガイド孔４４に挿通されたボルト４８Ａを締めることで、灯具本体１０を所望の照射角度で固定することができる。
【００３２】
このように、デジタル支持部５６の角度固定孔４５Ａ，４５Ｂ，４５Ｃに挿通されたボルト４９Ａは抜き取って外し、アナログ支持部５５のガイド孔４４に挿通されたボルト４８Ａは抜取ることなく、ガイド孔４４に沿って移動させて、灯具本体１０の角度を調整することができる。この構成によれば、灯具本体１０の重量が比較的重い場合であっても、灯具本体１０の回転角度をガイド孔４４の範囲に限定することができる。よって、灯具本体１０の取付角度を調整中に、例えば作業者が灯具本体１０から手を放してしまった場合でも、図５に示すように、灯具本体１０が自重によりガイド孔４４の範囲を超えて垂れ下がる心配がなく、安全に角度の調整を行うことができる。また、ガイド孔４４の範囲で灯具本体１０の固定角度を連続的に変えることができるとともに、複数の角度固定孔４５Ａ，４５Ｂ，４５Ｃの何れか一つにボルト４９Ａを挿通することで、適宜の角度に灯具本体１０を固定することができ、安定して灯具本体１０を支持することができる。
【００３３】
以上説明したように、本実施形態によれば、灯具本体１０と、灯具本体１０に連結され、灯具本体１０を取り付け位置に固定する固定具４０と、を備え、固定具４０は、灯具本体１０を、被照射面に対する照射角度を可変にすべく回転可能に支持する回転支持部４１を有し、回転支持部４１は、照射角度を連続的に可変に灯具本体１０を支持するアナログ支持部５５と、照射角度を段階的に可変に灯具本体１０を支持するデジタル支持部５６と、を備えた。
この構成によれば、アナログ支持部５５によって、連続的に灯具本体１０の固定角度を変えることができると共に、灯具本体１０の固定後はデジタル支持部５６によって安定して灯具本体１０を支持することができる。
【００３４】
また、本実施形態によれば、回転支持部４１は、灯具本体１０の回転軸Ｏ上に設けられた軸孔４２Ａ，４３Ａを備えた一対の側板４２，４３を備え、一方の側板４２には、アナログ支持部５５が設けられ、他方の側板４３には、デジタル支持部５６が設けられている。これにより、灯具本体１０を回転軸Ｏで回転させて照射角度を調整する際に、アナログ支持部５５によって照射角度を連続的に変えることができる。また、灯具本体１０を、デジタル支持部５６によって、予め設定した所定の角度に安定して固定することができる。
【００３５】
また本実施形態によれば、デジタル支持部５６には、灯具本体１０を、予め設定された所定の照射角度で固定する複数の角度固定孔４５Ａ，４５Ｂ，４５Ｃが設けられている。これにより、複数の角度固定孔４５Ａ，４５Ｂ，４５Ｃの何れか一つにボルト４９Ａを挿通させて固定することで、灯具本体１０を容易に所定の角度で安定して固定することができる。
【００３６】
また本実施形態によれば、複数の角度固定孔４５Ａ，４５Ｂ，４５Ｃは、互いに重なることがないように、軸孔４３Ａから異なる距離に設けられている。この構成によれば、各角度固定孔４５Ａ，４５Ｂ，４５Ｃによって規定される、灯具本体１０の固定角度の差が小さくても、各角度固定孔４５Ａ，４５Ｂ，４５Ｃ同士を互いに重ねることなく配置することができる。よって、灯具本体１０の固定角度を小刻みに設定することができ、より柔軟に多くの固定角度に対応することができる。
【００３７】
また本実施形態によれば、アナログ支持部５５には、灯具本体１０の回転範囲に亘る長さのガイド孔４４が設けられている。これにより、灯具本体１０の回転範囲を、ガイド孔４４の範囲に限定することができ、灯具本体１０の重量が比較的大きい場合でも、灯具本体１０がガイド孔４４の範囲を超えて自重で垂れ下がることがない。よって、安全に灯具本体１０の取付角度を調整する作業を行うことができる。
【００３８】
なお、上述した実施の形態は、あくまでも本発明の一態様を示すものであり、本発明の趣旨を逸脱しない範囲で任意に変形及び応用が可能である。
【００３９】
例えば、上述した実施形態では、灯具本体１０は、矩形枠型のケース体１１を備える構成としたが、灯具本体１０の形状は矩形に限らず、例えば円形状や多角形状に形成されていても良い。
【符号の説明】
【００４０】
１  照明器具
６  アーム
１０  灯具本体
２０  照射ユニット
４０  固定具
４１  回転支持部
４２、４３  側板
４４  ガイド孔
４５Ａ、４５Ｂ、４５Ｃ  角度固定孔
４６、４７  脚部側板
５２  固定脚部
５５  アナログ支持部
５６  デジタル支持部
Ｏ  回転軸
【図１】
0006663286.tif 000002
【図２】
0006663286.tif 000003
【図３】
0006663286.tif 000004
【図４】
0006663286.tif 000005
【図５】
0006663286.tif 000006